(57)【要約】【課題】  視聴者が３次元映像のコンテンツの視聴を開始する前に、視聴の中断がないように、電池の交換等が、必要か否かがわかる情報を視聴者に提供することができる表示装置および表示方法を提供する。【解決手段】  視聴者がメガネ３０を装着すると、メガネ３０は、電源部３１０の電圧値を対比テーブル３０２に基づいて、動作可能時間に変換する。３Ｄ映像表示装置１０の表示装置コントローラ１０１は、メガネ３０から、動作可能時間を受信する。そして、電子番組表からコンテンツの再生時間を計算し、または３Ｄ映像ディスク再生装置２０からコンテンツの再生時間を取得する。再生時間よりも動作可能時間が長いとき、コンテンツを再生する。再生時間よりも動作可能時間が長くないとき、動作可能時間および電池の交換等を促すメッセージを表示画面１１４に表示する。【選択図】      図１
2012186651.tif 000002
【特許請求の範囲】
【請求項１】
３次元映像のコンテンツを含む情報を表示するための表示手段と、
表示手段に表示されるコンテンツの３次元映像を視聴するためのメガネを駆動する電池の電圧値を検出する電圧検出手段と、
電圧検出手段によって検出される電圧値の電圧によって前記メガネを駆動することができる動作可能時間を算出する算出手段と、
算出手段によって算出された動作可能時間を表示手段に表示させる制御手段とを含むことを特徴とする表示装置。
【請求項２】
前記制御手段は、前記表示手段に表示されるコンテンツの表示開始から表示終了までに要する表示時間と前記算出手段によって算出された動作可能時間とを比較し、表示時間よりも動作可能時間が長くないとき、電池の交換または充電を促すメッセージを前記表示手段に表示させることを特徴とする請求項１に記載の表示装置。
【請求項３】
前記制御手段は、前記表示手段にコンテンツが表示されているとき、現在の時刻から該コンテンツの表示終了までに要する残表示時間と前記算出手段によって算出された動作可能時間とを比較し、残表示時間よりも動作可能時間が長くないとき、電池の交換または充電を促すメッセージを前記表示手段に表示させることを特徴とする請求項１または２に記載の表示装置。
【請求項４】
前記制御手段は、現在の時刻からコンテンツの表示終了までに要する時間が予め定める時間に一致したとき、次のコンテンツの表示時間と、前記算出手段によって算出された動作可能時間から前記予め定める時間を減算した時間とを比較し、表示時間よりも前記減算した時間が長くないとき、電池の交換または充電を促すメッセージを前記表示手段に表示させることを特徴とする請求項１〜３のいずれか１つに記載の表示装置。
【請求項５】
配信元から配信されるコンテンツの開始時刻および終了時刻を含む番組情報を取得する番組情報取得手段をさらに含み、
前記表示手段に表示されるコンテンツの表示開始から表示終了までに要する表示時間は、番組情報取得手段によって取得された番組情報に含まれる番組終了時刻から番組開始時刻を減算した時間であること特徴とする請求項２に記載の表示装置。
【請求項６】
前記電池の電圧値とその電圧値の電圧での動作可能時間とを関連付けて記憶する記憶手段をさらに含み、
前記算出手段は、記憶手段に記憶される動作可能時間のうち、前記電圧検出手段によって検出された電圧値に関連付けられた動作可能時間を、前記算出した動作可能時間とすることを特徴とする請求項１〜５のいずれか１つに記載の表示装置。
【請求項７】
３次元映像のコンテンツを含む情報を表示するための表示手段に表示されるコンテンツの３次元映像を視聴するためのメガネを駆動する電池の電圧値を検出する電圧検出工程と、
電圧検出工程で検出された電圧値の電圧によって前記メガネを駆動することができる動作可能時間を算出する算出工程と、
算出工程で算出された動作可能時間を表示手段に表示させる表示工程とを含むことを特徴とする表示方法。
【発明の詳細な説明】
【技術分野】
【０００１】
本発明は、３次元映像を視聴するための専用のメガネに内蔵される電池の消耗を視聴者に報知することができる表示装置および表示方法に関する。
【背景技術】
【０００２】
３次元（以下「３Ｄ」という）映像を視聴するために用いられる専用のメガネ（以下「専用メガネ」という）は、たとえば液晶シャッタなどを駆動するための電子回路を内蔵しており、この電子回路に電力を供給するための電池を内蔵している。
【０００３】
したがって、専用メガネに内蔵される電池が消耗すると、専用メガネに内蔵される電子回路が動作しなくなるため、３Ｄ映像を正常に視聴することができなくなる。３Ｄ映像の視聴を継続するためには、専用メガネに内蔵される電池を交換もしくは充電する、あるいは消耗していない電池が内蔵される専用メガネを探すなどの対応が必要となり、視聴者は、視聴の中断を余儀なくされる。
【０００４】
専用メガネを使用する３Ｄ映像を表示する場合、専用メガネを使用しないで視聴すると、映像が不鮮明になるので、視聴することは困難である。すなわち、３Ｄ映像を正常に視聴するためには、専用メガネが必須である。専用メガネの電池が消耗して、番組などのコンテンツを視聴している途中で専用メガネが動作しなくなるか否かは、視聴するコンテンツの時間と、電池の残量とに依存する。しかし、視聴者が電池の残量を知ることができない場合、コンテンツを視聴し始める前に、電池を交換等しておく必要があるか否かは、視聴者が過去の使用状況に基づいて判断しなければならない。
【０００５】
専用メガネに内蔵される電池は、その専用メガネの形状の制約から、小型のものを使用する必要がある。小型の電池は、容量が少なく、大型の電池に比べて、短時間で消耗するので、電池交換の頻度も多くなる。また、コンテンツには、映画や長時間ドラマのように、２時間近くの連続視聴あるいは２時間以上の連続視聴が必要なコンテンツもあり、このようなコンテンツを視聴する場合、視聴途中に電池切れになる可能性は高くなる。しかし、電池を交換等しておく必要があるか否かの判断は、上述したように、視聴者の判断に委ねられており、視聴の中断の発生も予想される。
【０００６】
電池の消耗を視聴者に報知することができる第１の従来技術として、特許文献１に記載される電子眼鏡がある。この電子眼鏡は、可変焦点レンズを駆動するための電気回路に電力を供給する電池の残量を検出する残量検出回路、および電池切れを警告するための振動部を有し、残量検出回路によって、電池の電圧レベルが電池切れ警告電圧になったことが検出されると、振動部を振動させて警告表示を行う。
【０００７】
また、第２の従来技術として、特許文献２に記載される電子眼鏡がある。この電子眼鏡は、可変焦点レンズを駆動するための電気回路に電力を供給する電池の残量を検出する残量検出回路、および電池切れを警告するための表示部を有し、残量検出回路によって、電池の電圧レベルが電池切れ警告電圧になったことが検出されると、表示部に警告表示を行う。表示部は、発光体、液晶素子、あるいは薄膜型エレクトロルミネッセンス素子などによって構成される。
【０００８】
第１，２の従来技術は、メガネに内蔵される電池の消耗が進んだときに、メガネ装着者に電池の消耗を知らせ、電池切れになる前に、電池を交換あるいは充電させようとするものである。
【先行技術文献】
【特許文献】
【０００９】
【特許文献１】特開２００９−１８０８６４号公報
【特許文献２】特開２００９−１８０８６３号公報
【発明の概要】
【発明が解決しようとする課題】
【００１０】
しかしながら、上述した第１，２の従来技術は、電池の消耗が進んだ段階で警告を出すものであり、視聴者が視聴を開始する時点での電池の残量については考慮されていない。したがって、番組などの視聴中に警告が出されることが有り得る。視聴者は、警告が出された時点で、専用メガネの電池を交換あるいは充電するか、電池が消耗していない専用メガネに掛けかえることが必要であり、視聴の中断が発生する。
【００１１】
本発明の目的は、視聴者が３次元映像のコンテンツの視聴を開始する前に、視聴の中断がないように電池の交換等が必要であるか否かがわかる情報を視聴者に提供することができる表示装置および表示方法を提供することである。
【課題を解決するための手段】
【００１２】
本発明は、３次元映像のコンテンツを含む情報を表示するための表示手段と、
表示手段に表示されるコンテンツの３次元映像を視聴するためのメガネを駆動する電池の電圧値を検出する電圧検出手段と、
電圧検出手段によって検出される電圧値の電圧によって前記メガネを駆動することができる動作可能時間を算出する算出手段と、
算出手段によって算出された動作可能時間を表示手段に表示させる制御手段とを含むことを特徴とする表示装置である。
【００１３】
また本発明は、前記制御手段は、前記表示手段に表示されるコンテンツの表示開始から表示終了までに要する表示時間と前記算出手段によって算出された動作可能時間とを比較し、表示時間よりも動作可能時間が長くないとき、電池の交換または充電を促すメッセージを前記表示手段に表示させることを特徴とする。
【００１４】
また本発明は、前記制御手段は、前記表示手段にコンテンツが表示されているとき、現在の時刻から該コンテンツの表示終了までに要する残表示時間と前記算出手段によって算出された動作可能時間とを比較し、残表示時間よりも動作可能時間が長くないとき、電池の交換または充電を促すメッセージを前記表示手段に表示させることを特徴とする。
【００１５】
また本発明は、前記制御手段は、現在の時刻からコンテンツの表示終了までに要する時間が予め定める時間に一致したとき、次のコンテンツの表示時間と、前記算出手段によって算出された動作可能時間から前記予め定める時間を減算した時間とを比較し、表示時間よりも前記減算した時間が長くないとき、電池の交換または充電を促すメッセージを前記表示手段に表示させることを特徴とする。
【００１６】
また本発明は、配信元から配信されるコンテンツの開始時刻および終了時刻を含む番組情報を取得する番組情報取得手段をさらに含み、
前記表示手段に表示されるコンテンツの表示開始から表示終了までに要する表示時間は、番組情報取得手段によって取得された番組情報に含まれる番組終了時刻から番組開始時刻を減算した時間であること特徴とする。
【００１７】
また本発明は、前記電池の電圧値とその電圧値の電圧での動作可能時間とを関連付けて記憶する記憶手段をさらに含み、
前記算出手段は、記憶手段に記憶される動作可能時間のうち、前記電圧検出手段によって検出された電圧値に関連付けられた動作可能時間を、前記算出した動作可能時間とすることを特徴とする。
【００１８】
また本発明は、３次元映像のコンテンツを含む情報を表示するための表示手段に表示されるコンテンツの３次元映像を視聴するためのメガネを駆動する電池の電圧値を検出する電圧検出工程と、
電圧検出工程で検出された電圧値の電圧によって前記メガネを駆動することができる動作可能時間を算出する算出工程と、
算出工程で算出された動作可能時間を表示手段に表示させる表示工程とを含むことを特徴とする表示方法である。
【発明の効果】
【００１９】
本発明によれば、表示手段は、３次元映像のコンテンツを含む情報を表示する。電圧検出手段は、表示手段に表示されるコンテンツの３次元映像を視聴するためのメガネを駆動する電池の電圧値を検出する。算出手段は、電圧検出手段によって検出される電圧値の電圧によって前記メガネを駆動することができる動作可能時間を算出する。そして、制御手段は、算出手段によって算出された動作可能時間を表示手段に表示させる。
【００２０】
したがって、視聴者は、電池の動作可能時間と、視聴するコンテンツの表示時間とを比較することができ、表示時間が動作可能時間よりも長くないとき、コンテンツを視聴する前に電池を交換等することができる。すなわち、３Ｄ映像の放送番組や録画番組などのコンテンツを視聴する前に、途中で電池が切れる恐れがあるか否かを判断することができ、途中で電池が切れる恐れがある場合には、最後まで中断なく視聴可能であるメガネを用意するというような対応、具体的には、予備の電池と交換する、電池を充電する、あるいは別のメガネを探すなどの対応を可能とすることができるので、視聴の中断を回避することができ、視聴者は、３Ｄ映像の視聴を集中して楽しむことができるようになる。
【００２１】
また本発明によれば、前記制御手段は、前記表示手段に表示されるコンテンツの表示開始から表示終了までに要する表示時間と前記算出手段によって算出された動作可能時間とを比較し、表示時間よりも動作可能時間が長くないとき、電池の交換または充電を促すメッセージを前記表示手段に表示させる。したがって、視聴者は、表示時間と動作可能時間とを比較する必要がない。
【００２２】
また本発明によれば、前記制御手段は、前記表示手段にコンテンツが表示されているとき、現在の時刻から該コンテンツの表示終了までに要する残表示時間と前記算出手段によって算出された動作可能時間とを比較し、残表示時間よりも動作可能時間が長くないとき、電池の交換または充電を促すメッセージを前記表示手段に表示させる。したがって、コンテンツの途中から視聴するときも、そのコンテンツの視聴の中断を回避することができる。
【００２３】
また本発明によれば、前記制御手段は、現在の時刻からコンテンツの表示終了までに要する時間が予め定める時間に一致したとき、次のコンテンツの表示時間と、前記算出手段によって算出された動作可能時間から前記予め定める時間を減算した時間とを比較し、表示時間よりも前記減算した時間が長くないとき、電池の交換または充電を促すメッセージを前記表示手段に表示させる。したがって、現在視聴中の次のコンテンツを視聴する前に電池を交換等する必要があるか否かを判断することができるので、次のコンテンツの視聴中に視聴を中断することがなくなる。
【００２４】
また本発明によれば、番組情報取得手段は、配信元から配信されるコンテンツの開始時刻および終了時刻を含む番組情報を取得する。そして、前記表示手段に表示されるコンテンツの表示開始から表示終了までに要する表示時間は、番組情報取得手段によって取得された番組情報に含まれる番組終了時刻から番組開始時刻を減算した時間である。したがって、番組情報とともに配信されるコンテンツであれば、番組情報から表示時間を算出することができる。
【００２５】
また本発明によれば、記憶手段は、前記電池の電圧値とその電圧値の電圧での動作可能時間とを関連付けて記憶する。そして、前記算出手段は、記憶手段に記憶される動作可能時間のうち、前記電圧検出手段によって検出された電圧値に関連付けられた動作可能時間を、前記算出した動作可能時間とする。したがって、表示装置では、電池の電圧値から動作可能時間に変換する計算を行う必要がなく、処理時間を短縮することができる。
【００２６】
また本発明によれば、電圧検出工程では、３次元映像のコンテンツを含む情報を表示するための表示手段に表示されるコンテンツの３次元映像を視聴するためのメガネを駆動する電池の電圧値を検出する。算出工程では、電圧検出工程で検出された電圧値の電圧によって前記メガネを駆動することができる動作可能時間を算出する。そして、表示工程では、算出工程で算出された動作可能時間を表示手段に表示させる。
【００２７】
したがって、視聴者は、電池の動作可能時間と、視聴するコンテンツの表示時間とを比較することができ、表示時間が動作可能時間よりも長くないとき、コンテンツを視聴する前に電池を交換等することができる。すなわち、３Ｄ映像の放送番組や録画番組などのコンテンツを視聴する前に、途中で電池が切れる恐れがあるか否かを判断することができ、途中で電池が切れる恐れがある場合には、最後まで中断なく視聴可能であるメガネを用意するというような対応、具体的には、予備の電池と交換する、電池を充電する、あるいは別のメガネを探すなどの対応を可能とすることができるので、視聴の中断を回避することができ、視聴者は、３Ｄ映像の視聴を集中して楽しむことができるようになる。
【図面の簡単な説明】
【００２８】
【図１】本発明の一実施形態である表示装置１に含まれる３Ｄ映像表示装置１０および３Ｄ映像ディスク再生装置２０の構成を示すブロック図である。
【図２】表示装置１に含まれるメガネ３０の構成を示すブロック図である。
【図３】メガネコントローラ３０１および液晶シャッタ駆動回路３０７の詳細な構成を示すブロック図である。
【図４】電源部３１０および電圧監視部３１１の詳細な構成を示すブロック図である。
【図５】メガネ３０の外観を示す図である。
【図６】３Ｄ表示モードにおける３Ｄ映像表示装置１０およびメガネ３０の動作を説明するための図である。
【図７】対比テーブル３０２の一例を示す図である。
【図８】表示装置１における表示モード切換えを説明するためのタイミングチャートである。
【図９】メガネ３０が実行する動作可能時間判定処理の処理手順を示すフローチャートである。
【図１０】３Ｄ映像表示装置１０が実行する第１の電池切れ報知処理の処理手順を示すフローチャートである。
【図１１】３Ｄ映像表示装置１０が実行する第２の電池切れ報知処理の処理手順を示すフローチャートである。
【発明を実施するための形態】
【００２９】
図１は、本発明の一実施形態である表示装置１に含まれる３次元（以下「３Ｄ」という）映像表示装置１０および３Ｄ映像ディスク再生装置２０の構成を示すブロック図である。本発明に係る表示方法は、表示装置１で実行される。表示装置１は、３Ｄ映像表示装置１０、３Ｄ映像ディスク再生装置２０、および後述するメガネ３０を含んで構成される。
【００３０】
表示装置１は、通常表示モードと３Ｄ表示モードとの２通りの表示モードを有する。通常表示モードは、映像を視聴者に平面的に認識させるモードである。３Ｄ表示モードは、映像を視聴者に立体的に認識させるモードである。３Ｄ表示モードでは、表示装置１は、映像の立体認識技術として、たとえばフレームシーケンシャル方式の映像立体認識技術を用いている。
【００３１】
フレームシーケンシャル方式の映像立体認識技術では、表示装置１は、左目用映像および右目用映像を、周期的にかつ高速で切換えて交互に表示画面１１４に表示する。左目用映像は、視聴者が左目でみるための映像であり、右目用映像は、視聴者が右目でみるための映像である。このとき、メガネ３０は、左目用映像および右目用映像の切換えと同期して、視聴者の右目側視界および左目側視界を交互に遮断する。この結果、視聴者は、右目で右目用映像を視認し、左目で左目用映像を視認することになるので、視差による錯覚によって、映像が立体的に表示されているように認識する。
【００３２】
３Ｄ映像表示装置１０は、表示装置コントローラ１０１、映像入力端子１０２、アンテナ１０３、ローカルエリアネットワーク（以下「ＬＡＮ」という）端子１０４、デジタル放送受信部１０５、番組情報取得部１０６、映像入力選択部１０７、３Ｄ映像判別部１０８、メッセージデータ生成部１０９、第１の３Ｄ・通常映像選択部１１０、通常表示信号生成部１１１、左目・右目表示信号生成部１１２、第２の３Ｄ・通常映像選択部１１３、表示画面１１４、同期信号生成部１１５、表示装置送信部１１６、表示装置受信部１１７および時間管理部１１８を含んで構成される。
【００３３】
制御手段である表示装置コントローラ１０１は、たとえば中央処理装置（以下「ＣＰＵ」という）および記憶装置によって構成され、該記憶装置に記憶されるプログラムを実行することによって、デジタル放送受信部１０５、番組情報取得部１０６、映像入力選択部１０７、３Ｄ映像判別部１０８、メッセージデータ生成部１０９、第１の３Ｄ・通常映像選択部１１０、通常表示信号生成部１１１、左目・右目表示信号生成部１１２、第２の３Ｄ・通常映像選択部１１３、表示画面１１４、同期信号生成部１１５、表示装置送信部１１６および表示装置受信部１１７を制御する。
【００３４】
映像入力端子１０２は、映像信号を入力するための端子であり、入力された映像信号を映像入力選択部１０７に送る。映像信号は、たとえば３Ｄ映像ディスク再生装置２０からの映像信号である。アンテナ１０３は、放送局２から放送される放送波を受信するためのアンテナであり、受信した放送波の電気信号をデジタル放送受信部１０５に送る。ＬＡＮ端子１０４は、ネットワーク３に接続され、ネットワーク３と電気信号によって情報の送受信を行う。ＬＡＮ端子１０４は、ネットワーク３から受信した電気信号をデジタル放送受信部１０５に送る。
【００３５】
デジタル放送受信部１０５は、アンテナ１０３からの電気信号およびＬＡＮ端子１０４からの電気信号のうちの１つの電気信号から映像信号を抽出し、抽出した映像信号を映像入力選択部１０７および番組情報取得部１０６に送る。いずれの電気信号を選択するかは、表示装置コントローラ１０１からの指示による。
【００３６】
番組情報取得手段である番組情報取得部１０６は、デジタル放送受信部１０５から受け取る電気信号から番組情報を取得し、取得した番組情報を表示装置コントローラ１０１に送る。番組情報は、放送局２またはネットワーク３などの配信元から配信されるコンテンツの開始時刻および終了時刻を含む。
【００３７】
映像入力選択部１０７は、映像入力端子１０２から受け取る映像信号、およびデジタル放送受信部１０５から受け取る映像信号のうちのいずれか１つの映像信号を、３Ｄ映像判別部１０８および表示装置コントローラ１０１に送る。いずれの映像信号を選択するかは、表示装置コントローラ１０１からの指示による。
【００３８】
３Ｄ映像判別部１０８は、映像入力選択部１０７から受け取る映像信号が立体認識用の映像信号および平面認識用の映像信号のうちのどちらであるかを判別する。立体認識用の映像信号は、３次元映像を表示するための信号であり、平面認識用の映像信号は、２次元映像を表示するための信号である。３Ｄ映像判別部１０８は、映像入力選択部１０７から受け取る映像信号を第１の３Ｄ・通常映像選択部１１０に送るとともに、立体認識用の映像信号であるのか、平面認識用の映像信号であるのかの判別結果を、第１の３Ｄ・通常映像選択部１１０および表示装置コントローラ１０１に送る。
【００３９】
メッセージデータ生成部１０９は、表示装置コントローラ１０１からの指示によって、表示装置コントローラ１０１から受け取る情報を、表示画面１１４に表示する視聴対象の映像に合成するためのテキスト画像として生成する。表示装置コントローラ１０１から受け取る情報は、たとえば動作可能時間やメッセージなどの情報である。テキスト画像は、オンスクリーンディスプレイ（以下「ＯＳＤ」という）として、視聴対象の映像に合成される。
【００４０】
第１の３Ｄ・通常映像選択部１１０は、３Ｄ映像判別部１０８から受け取る映像信号を、３Ｄ映像判別部１０８から受け取る判別結果に基づいて、通常表示信号生成部１１１および左目・右目表示信号生成部１１２のうちのいずれか１つに選択的に送る。すなわち、第１の３Ｄ・通常映像選択部１１０は、平面認識用の映像信号を通常表示信号生成部１１１に送り、立体認識用の映像信号を左目・右目表示信号生成部１１２に送る。
【００４１】
通常表示信号生成部１１１は、第１の３Ｄ・通常映像選択部１１０から受け取る平面認識用の映像信号に基づいて、平面表示信号を生成し、生成した平面表示信号を第２の３Ｄ・通常映像選択部１１３に送る。平面表示信号は、映像信号を表示画面１１４に２次元映像として表示するための信号である。左目・右目表示信号生成部１１２は、第１の３Ｄ・通常映像選択部１１０から受け取る立体認識用の映像信号に基づいて、立体表示信号を生成し、生成した立体表示信号を第２の３Ｄ・通常映像選択部１１３に送る。立体表示信号は、映像信号を表示画面１１４に３次元映像として表示するための信号である。
【００４２】
第２の３Ｄ・通常映像選択部１１３は、表示装置コントローラ１０１からの指示によって、通常表示信号生成部１１１から受け取る平面表示信号、および左目・右目表示信号生成部１１２から受け取る立体表示信号のうちのいずれか１つの信号を選択的に表示画面１１４に送る。すなわち、３Ｄ映像判別部１０８での判別結果が立体認識用の映像信号であることを示しているとき、左目・右目表示信号生成部１１２から受け取る立体表示信号を表示画面１１４に送り、３Ｄ映像判別部１０８での判別結果が平面認識用の映像信号であることを示しているとき、通常表示信号生成部１１１から受け取る平面表示信号を表示画面１１４に送る。第２の３Ｄ・通常映像選択部１１３は、３Ｄ映像判別部１０８での判別結果を、表示装置コントローラ１０１から受け取る。
【００４３】
表示手段である表示画面１１４は、たとえば液晶ディスプレイによって構成される。表示画面１１４は、第２の３Ｄ・通常映像選択部１１３から受け取る立体表示信号を３次元映像として、また第２の３Ｄ・通常映像選択部１１３から受け取る平面表示信号を２次元映像として表示する。
【００４４】
同期信号生成部１１５は、同期信号を生成し、生成した同期信号を表示装置送信部１１６に送る。同期信号は、３Ｄ表示モードのとき、表示画面１１４における左目用映像および右目用映像を交互に表示するための表示タイミングと、メガネ３０の後述する左目用液晶シャッタ３０８および右目用液晶シャッタ３０９を交互に遮断するための遮断タイミングとの同期を取るためのタイミング信号である。
【００４５】
表示装置送信部１１６は、同期信号生成部１１５から受け取る同期信号をメガネ３０に送信する。表示装置受信部１１７は、メガネ３０から送信される情報を受信し、受信した情報を表示装置コントローラ１０１に送る。時間管理部１１８は、時刻を計時する。表示装置コントローラ１０１は、時間管理部１１８から、時間管理部１１８によって計時される時刻を取得することができる。
【００４６】
３Ｄ映像ディスク再生装置２０は、ディスク装置２０１、ディスク制御デコード部２０２および映像出力端子２０３を含んで構成される。ディスク装置２０１は、たとえば磁気ディスク装置によって構成される。ディスク装置２０１は、２次元映像のコンテンツおよび３次元映像のコンテンツを含む情報を記憶する。コンテンツは、映像、字幕および再生時間などの情報を含む。表示時間である再生時間は、コンテンツを再生して表示画面１１４に表示するとき、表示開始から表示終了までに要する時間である。
【００４７】
ディスク制御デコード部２０２は、ディスク装置２０１を制御して、ディスク装置２０１に記憶されている情報を読み取り、読み取った情報を映像信号に変換する。ディスク装置２０１に記憶されている情報は、何らかのコーディング、たとえばＭＰＥＧ２（Moving Picture Experts Group phase 2）によるコーディングが施されている。ディスク制御デコード部２０２は、コーディングされている情報をデコードする。
【００４８】
映像出力端子２０３は、映像信号を出力するために端子である。映像出力端子２０３は、３Ｄ映像表示装置１０の映像入力端子１０２に接続され、ディスク制御デコード部２０２から受け取る映像信号を３Ｄ映像表示装置１０に送る。
【００４９】
図２は、表示装置１に含まれるメガネ３０の構成を示すブロック図である。メガネ３０は、メガネコントローラ３０１、対比テーブル３０２、装着センサ３０３、装着判別部３０４、メガネ送信部３０５、メガネ受信部３０６、液晶シャッタ駆動回路３０７、左目用液晶シャッタ３０８、右目用液晶シャッタ３０９、電源部３１０、電圧監視部３１１および電源スイッチ３１２を含んで構成される。
【００５０】
算出手段であるメガネコントローラ３０１は、たとえばＣＰＵおよび記憶装置によって構成され、該記憶装置に記憶されるプログラムを実行することによって、装着判別部３０４、メガネ送信部３０５、メガネ受信部３０６、液晶シャッタ駆動回路３０７、電源部３１０、電圧監視部３１１および電源スイッチ３１２を制御する。
【００５１】
対比テーブル３０２は、電源部３１０の電圧値とその電圧値の電圧での動作可能時間とを関連付けて記憶するテーブルであり、半導体メモリなどの記憶装置に記憶される。動作可能時間は、電源部３１０が現在の電圧値の電圧で、メガネ３０が動作することができなくなるまでの時間である。メガネコントローラ３０１は、対比テーブル３０２に記憶されている情報を読み出すことができる。対比テーブル３０２を記憶する記憶装置は、記憶手段である。
【００５２】
対比テーブル３０２は、対比テーブル３０２に記憶される情報に変更が生じない場合は、書き換えできないＰＲＯＭ（Programmable Read Only Memory）によって構成されてもよいが、対比テーブル３０２に記憶される情報に変更が生ずる場合は、書き換え可能なＥＥＰＲＯＭ（Erasable Programmable Read Only Memory）によって構成する。高速に読み出すことが要求される場合、あるいは動作中に対比テーブル３０２を高速に書き換える必要がある場合には、さらにＲＡＭ（Random Access Memory）を設けて、ＰＲＯＭあるいはＥＥＰＲＯＭの情報を、ＲＡＭに記憶させておいて、ＲＡＭに対して書き込みおよび読み出しを行ってもよい。
【００５３】
装着センサ３０３は、メガネ３０が視聴者に装着されていることを検出するためのセンサである。装着センサ３０３が検出する検出信号は、装着判別部３０４に送られる。装着判別部３０４は、装着センサ３０３からの検出信号に基づいて、メガネ３０が視聴者に装着されているか否かを判別し、判別結果をメガネコントローラ３０１に送る。
【００５４】
メガネ送信部３０５は、メガネコントローラ３０１から受け取る情報を３Ｄ映像表示装置１０に送信する。メガネ受信部３０６は、３Ｄ映像表示装置１０から送信される情報、たとえば同期信号を受信し、受信した情報をメガネコントローラ３０１に送る。
【００５５】
液晶シャッタ駆動回路３０７は、メガネコントローラ３０１からの指示に従って、左目用液晶シャッタ３０８および右目用液晶シャッタ３０９の透過状態および遮断状態を切り換える駆動回路である。透過状態は、光を透過する状態であり、遮断状態は、光を遮断する状態である。液晶シャッタ駆動回路３０７は、３Ｄ表示モードのとき、すなわち、メガネ受信部３０６が同期信号を受信しているとき、左目用液晶シャッタ３０８および右目用液晶シャッタ３０９を、それぞれ選択的に交互に遮断状態にすることによって、視聴者の左目側視界および右目側視界を交互に遮断する。
【００５６】
左目用液晶シャッタ３０８は、視聴者の左目の視界を遮断するための液晶シャッタであり、右目用液晶シャッタ３０９は、視聴者の右目の視界を遮断するための液晶シャッタである。左目用液晶シャッタ３０８および右目用液晶シャッタ３０９は、メガネ３０の後述するフレーム枠５０のリムに、レンズの代わりに嵌め込まれている。
【００５７】
左目用液晶シャッタ３０８が透過状態のとき、光が左目用液晶シャッタ３０８を透過するので、メガネ３０の左目側視界は遮断されておらず、視聴者は、左目で表示画面１１４の表示面を目視することができる。左目用液晶シャッタ３０８が遮断状態のとき、光が左目用液晶シャッタ３０８を透過しないので、メガネ３０の左目側視界は遮断されており、視聴者は、左目で表示画面１１４の表示面を目視することができない。
【００５８】
右目用液晶シャッタ３０９が透過状態のとき、光が右目用液晶シャッタ３０９を透過するので、メガネ３０の右目側視界は遮断されておらず、視聴者は、右目で表示画面１１４の表示面を目視することができる。右目用液晶シャッタ３０９が遮断状態のとき、光が右目用液晶シャッタ３０９を透過しないので、メガネ３０の右目側視界は遮断されており、視聴者は、右目で表示画面１１４の表示面を目視することができない。
【００５９】
電源部３１０は、電池によって構成される。電圧検出手段である電圧監視部３１１は、電源部３１０の電圧の電圧値を検出し、検出した電圧値をメガネコントローラ３０１に送る。電源スイッチ３１２は、電源部３１０の電源を投入するか切断するかを切り換えるスイッチである。電源スイッチ３１２は、電源を投入する状態に切り換えられているか、電源を切断する状態に切り換えられているかを示す信号をメガネコントローラ３０１に送る。
【００６０】
図３は、メガネコントローラ３０１および液晶シャッタ駆動回路３０７の詳細な構成を示すブロック図である。メガネコントローラ３０１は、デコーダ部３２１およびタイミング信号生成部３２２を含んで構成される。液晶シャッタ駆動回路３０７は、スイッチ３３１、第１シャッタ駆動回路３３２および第２シャッタ駆動回路３３３を含んで構成される。
【００６１】
デコーダ部３２１は、メガネ受信部３０６が３Ｄ映像表示装置１０から受信した同期信号をデコードし、デコードした信号をタイミング信号生成部３２２に送る。同期信号が単純に「１」および「０」の繰り返しである場合、すなわち同期信号が「１」つまりハイレベルであるとき、左目用映像を表示する状態であり、同期信号が「０」つまりローレベルであるとき、右目用映像を表示する状態である場合は、デコーダ部３２１は、メガネ受信部３０６から受け取る同期信号をデコードすることなく、タイミング信号生成部３２２に送ることができる。
【００６２】
しかし、同期信号が単純に「１」および「０」の繰り返しではなく、たとえば、外部ノイズに対する同期信号の強度を高めるために、左目用映像を表示する状態を、周期Ａで「０」と「１」とを繰り返す同期信号で表わし、右目用映像を表示する状態を、周期Ｂで「０」と「１」とを繰り返す同期信号で表わす場合、デコーダ部３２１は、単純に「１」および「０」を繰り返す信号にデコードする。周期Ａと周期Ｂとは、異なる周期である。
【００６３】
タイミング信号生成部３２２は、デコーダ部３２１でデコードされた信号に基づいて、左目用液晶シャッタ３０８および右目用液晶シャッタ３０９を選択的に交互に遮断状態にするためのタイミング信号を生成し、生成したタイミング信号をスイッチ３３１に送る。
【００６４】
スイッチ３３１は、タイミング信号生成部３２２からのタイミング信号に基づいて、第１シャッタ駆動回路３３２および第２シャッタ駆動回路３３３を制御する。第１シャッタ駆動回路３３２は、スイッチ３３１からの指示によって、左目用液晶シャッタ３０８を駆動し、第２シャッタ駆動回路３３３は、スイッチ３３１からの指示によって、右目用液晶シャッタ３０９を駆動する。左目用液晶シャッタ３０８の駆動タイミングおよび右目用液晶シャッタ３０９の駆動タイミング、すなわち左目用視界を遮断するタイミングおよび右目用視界を遮断するタイミングは、スイッチ３３１によって制御される。
【００６５】
図４は、電源部３１０および電圧監視部３１１の詳細な構成を示すブロック図である。電源部３１０は、動作用電池３４１および電源安定回路３４２を含んで構成される。電圧監視部３１１は、アナログデジタル（以下「Ａ／Ｄ」という）コンバータ３５１を含んで構成される。
【００６６】
電池である動作用電池３４１は、メガネ３０に内蔵可能な小型電池であり、たとえばリチウム電池あるいはアルカリマンガン乾電池によって構成される。動作用電池３４１は、交換可能または充電可能に構成される。動作用電池３４１は、プラス側が電源安定回路３４２に接続され、マイナス側が接地電位に接続される。動作用電池３４１は、電力を電源安定回路３４２に供給する。
【００６７】
電源安定回路３４２は、動作用電池３４１から供給される電力を、メガネコントローラ３０１、対比テーブル３０２、装着センサ３０３、装着判別部３０４、メガネ送信部３０５、メガネ受信部３０６、液晶シャッタ駆動回路３０７、左目用液晶シャッタ３０８、右目用液晶シャッタ３０９および電圧監視部３１１などの各回路に、安定した電圧および安定した電流で供給することができるようにするための電気回路である。
【００６８】
Ａ／Ｄコンバータ３５１は、動作用電池３４１の電圧の電圧値を、デジタル値の電圧値に変換する変換器である。Ａ／Ｄコンバータ３５１は、変換後のデジタル値の電圧値をメガネコントローラ３０１に送る。
【００６９】
図５は、メガネ３０の外観を示す図である。図５（Ａ）は、装着センサ３０３の例を示す図である。装着センサ３０３は、たとえば展開センサ５１、近接センサ５２、および対物センサ５３などによって構成される。メガネ３０は、展開センサ５１、近接センサ５２、および対物センサ５３のうちの少なくとも１つを含む。展開センサ５１は、たとえば、スイッチ部品で構成される。近接センサ５２および対物センサ５３は、たとえば光学的センサで構成される。
【００７０】
展開センサ５１は、メガネ３０のフレーム枠５０の左右のヒンジのうちの少なくとも一方のヒンジに設けられる。展開センサ５１は、メガネ３０のフレーム枠５０のテンプル（以下「つる」ともいう）が展開されているか折り畳まれているかを検出する。視聴者がメガネ３０を装着するには、フレーム枠５０の左右のテンプルを展開する必要があるので、テンプルの展開の有無は視聴者のメガネ３０の装着状態・非装着状態に対応する。すなわち、左右両方のテンプルの展開が有るとき、視聴者のメガネ３０は装着状態であり、少なくとも１つのテンプルの展開が無いとき、視聴者のメガネ３０は非装着状態であると判別することができる。展開センサ５１は、テンプル展開の有無を示す信号を、視聴者のメガネ３０の装着の有無を示す信号として、装着判別部３０４に送る。
【００７１】
図５（Ｂ）は、近接センサ５２による装着状態の検出を説明するための図である。近接センサ５２は、メガネ３０のフレーム枠５０のブリッジおよび該ブリッジ近傍において、装着時に視聴者と対向する位置に設けられる。近接センサ５２は、メガネ３０とフレーム枠５０に対向する位置の物体、たとえば視聴者の顔面、たとえば額との距離を検出している。視聴者がメガネ３０を装着しているとき、フレーム枠５０と視聴者の顔面との距離が所定距離未満まで近接している。近接センサ５２は、フレーム枠５０と視聴者の顔面との距離そのものを検出して、またはフレーム枠５０と視聴者の顔面との距離が所定距離未満に近接したか否かを検出し、検出結果に応じた信号を、視聴者のメガネ３０の装着の有無を示す信号として、装着判別部３０４に送る。
【００７２】
図５（Ｃ），（Ｄ）は、対物センサ５３による装着状態の検出を説明するための図である。図５（Ｃ）は、視聴者がメガネ３０を装着していない状態を示す。図５（Ｄ）は、視聴者がメガネ３０を装着している状態を示す。対物センサ５３は、１対の発信素子５４および受信素子５５を含む。発信素子５４および受信素子５５は、メガネ３０のフレーム枠５０の左右のテンプルにおいてテンプル展開時に相互に対向する位置に設けられる。図５（Ｃ）に示すように、視聴者がメガネ３０を装着していない状態では、発信素子５４と受信素子５５との間で光または電磁波等の信号５９が送受されている。図５（Ｄ）に示すように、視聴者がメガネ３０を装着している状態では、発信素子５４と受信素子５５との間に視聴者の頭部が介在するので、発信素子５４からの信号５９が遮断されて受信素子５５に到達しなくなる。
【００７３】
対物センサ５３は、発信素子５４からの信号５９が受信素子５５に受信されるか否か、すなわち、発信素子５４と受信素子５５との間に物体が存在するか否かを検出して、検出結果に応じた信号を、視聴者のメガネ３０の装着の有無を示す信号として、装着判別部３０４に送る。
【００７４】
装着判別部３０４は、上述した３種類の装着センサ３０３からの信号に応答し、メガネ３０が視聴者に装着されているか否か、すなわち視聴者が映像を立体的に認識することができるか否かを判別する。装着判別部３０４は、メガネ３０の装着状態の判別結果を、映像の立体認識の可否を示す視聴可否信号として、メガネコントローラ３０１に送る。
【００７５】
図６は、３Ｄ表示モードにおける３Ｄ映像表示装置１０およびメガネ３０の動作を説明するための図である。図６（Ａ）は、３Ｄ映像表示装置１０の表示画面１１４に表示される映像の時間経過に伴う変化を示す。図６（Ｂ）は、メガネ３０の左目用液晶シャッタ３０８および右目用液晶シャッタ３０９の時間経過に伴う遮断状態の変化を示す。図６（Ｃ）は、メガネ３０を装着した視聴者の左目および右目の視界の遮断状態および透過状態の時間変化を示す。図６の説明において、立体表示信号が示す左目用映像および右目用映像は、それぞれ複数のフレームを含む動画で構成されている。
【００７６】
３Ｄ表示モード時において、表示画面１１４は、与えられる立体表示信号に基づいて、時間経過に伴って周期的に、左目用映像および右目用映像を、所定数のフレームずつ、交互に表示する。左目用映像および右目用映像の切り換えに同期して、左目用液晶シャッタ３０８および右目用液晶シャッタ３０９は、左目用視界および右目用視界のいずれか一方を透過していずれか他方を遮断する。
【００７７】
具体的には、表示画面１１４に左目用映像が表示される期間内に、左目用液晶シャッタ３０８は、透過状態を保ち、かつ右目用液晶シャッタ３０９は、遮断状態を保つ。この結果、右目用視界が遮断されて左目用視界だけが表示画面１１４を目視可能になる。表示画面１１４に右目用映像が表示される期間内には、左目用液晶シャッタ３０８は、遮断状態を保ち、かつ右目用液晶シャッタ３０９は、透過状態を保つ。この結果、左目用視界が遮断されて右目用視界だけが表示画面１１４を目視可能になる。この結果、視聴者は、右目用映像表示時には右目で右目用映像を視認し、左目用映像表示時には左目で左目用映像を視認する。
【００７８】
このように、３Ｄ表示モードでは、相互に異なる視点からの映像が左右の目でそれぞれ目視されるので、左右の視差が生じる。視聴者は、生じた視差に起因する錯覚によって、映像が立体的に表示されているように認識する。これによって、３Ｄ映像表示装置１０は、平坦な表示面を有する表示画面１１４を用いて、視聴者に映像を立体的に認識させることができる。
【００７９】
図７は、対比テーブル３０２の一例を示す図である。対比テーブル３０２は、「内蔵電池の電圧」および「動作可能時間」の項目を含む。「内蔵電池の電圧」の各項目と「動作可能時間」の各項目とは、隣接する項目が関連付けられている。
【００８０】
「内蔵電池の電圧」の項目は、動作用電池３４１の電圧の電圧値を示す。「動作可能時間」の項目は、隣接する「内蔵電池の電圧」の項目が示す電圧値の電圧で、メガネ３０が動作することができる時間、すなわちメガネ３０が動作することができなくなるまでの時間である。
【００８１】
図７に示した対比テーブル３０２には、各「内蔵電池の電圧」が示す電圧値に対する「動作可能時間」が示す動作可能時間は、電圧値「３．３０Ｖ」に対しては「３００分」であり、電圧値「３．２０Ｖ」に対しては「２４０分」であり、電圧値「３．１０Ｖ」に対しては「２２０分」であり、電圧値「２．２０Ｖ」に対しては「２０分」であり、電圧値「２．１０Ｖ」に対しては「１０分」であり、電圧値「２．００Ｖ」に対しては「０分」である。電圧値「３．１０Ｖ」〜電圧値「２．２０Ｖ」の間については省略している。
【００８２】
図８は、表示装置１における表示モード切換えを説明するためのタイミングチャートである。図８（Ａ）は、視聴者有無、つまり表示装置１でコンテンツを視聴する視聴者が存在するか否かの時間変化を示す。「無し」は視聴者が存在しないことを示し、「有り」は視聴者が存在することを示す。
【００８３】
図８（Ｂ）は、メガネ装着状態、つまり視聴者がメガネ３０を装着しているか否かの時間変化を示す。「メガネ非着用」は、視聴者がメガネ３０を装着していないことを示し、「メガネ着用」は、視聴者がメガネ３０を装着していることを示す。図８（Ｃ），（Ｆ）は、３Ｄ映像表示装置動作、つまり３Ｄ映像表示装置１０の表示モードの時間変化を示す。「通常表示」は、通常表示モードであることを示し、「３Ｄ表示」は、３Ｄ表示モードであることを示す。「注意表示」は、電池の交換等を促すメッセージを表示画面１１４に表示している状態であることを示す。「注意表示」は、通常表示モードである。
【００８４】
図８（Ｄ），（Ｇ）は、メガネ動作、つまりメガネ３０が動作している状態の時間変化を示す。「待機（省電力）モード」は、メガネ３０が待機しているモードであることを示す。すなわち、「通常動作モード」でないモードで動作していることを示し、省電力の状態である。「通常動作モード」は、メガネ３０が立体映像を視聴するためのモードで動作していることを示す。「通常動作モード」は、３Ｄ映像表示装置１０から同期信号を受信している状態である。「状態送信」は、メガネ３０がメガネ３０の状態を表す情報を、メガネ送信部３０５によって、３Ｄ映像表示装置１０に送信している状態であることを示す。「交換」は、メガネ３０の電池を交換、あるいは電池を充電している状態であることを示す。
【００８５】
メガネ３０の状態を表す情報は、メガネ３０の装着状態、メガネ３０の動作状態および動作可能時間などの情報を含む。装着状態には、視聴者がメガネ３０を装着している装着状態、および視聴者がメガネ３０を装着していない非装着状態がある。動作状態には、「待機（省電力）モード」および「通常動作モード」がある。
【００８６】
図８（Ｅ），（Ｈ）は、映像表示、つまり表示画面１１４に表示されている映像の種類の時間変化を示す。「通常映像」は、２次元映像であることを示す。「３Ｄ表示映像１」，「３Ｄ表示映像２」は、３次元映像であることを示す。「３Ｄ表示映像１」，「３Ｄ表示映像２」の最後に付されている数字は、３Ｄ映像のコンテンツを識別するための識別情報である。
【００８７】
図８（Ｃ）〜（Ｅ）は、動作可能時間が視聴対象のコンテンツの再生時間よりも長い場合、すなわち電池の交換等が必要でない場合の時間変化である。図８（Ｆ）〜（Ｈ）は、動作可能時間が視聴対象のコンテンツの再生時間よりも長くない場合、すなわち電池の交換等が必要である場合の時間変化である。以下、図８（Ｃ）〜（Ｅ）をケースＩといい、図８（Ｆ）〜（Ｈ）をケースＩＩという。
【００８８】
最初の状態では、視聴者有無は「無し」であり、メガネ装着状態は「メガネ非着用」であり、３Ｄ映像表示装置動作は「通常表示」であり、メガネ動作は「待機（省電力）モード」であり、映像表示は「通常映像」である。
【００８９】
時刻ｔ０で、コンテンツを視聴する視聴者が表示装置１の前に現れると、視聴者有無は、「無し」から「有り」に変化する。時刻ｔ１で、視聴者がメガネ３０を装着すると、メガネ動作は、「待機（省電力）モード」から「状態送信」に変化する。
【００９０】
以下、ケースＩとケースＩＩとに分けて説明する。まず、ケースＩでは、メガネ３０がメガネ３０の状態を表す情報を送信し終わった後、３Ｄ映像表示装置１０は、メガネ３０から受信したメガネ３０の状態を表す情報に含まれる動作可能時間と、次に再生するコンテンツの再生時間とを比較する。ケースＩでは、動作可能時間が再生時間よりも長いので、時刻ｔ２で、３Ｄ映像表示装置１０は、コンテンツ「３Ｄ表示映像１」の再生を開始するので、３Ｄ映像表示装置動作は、「通常表示」から「３Ｄ表示」に変化し、同時に映像表示は、「通常映像」から「３Ｄ表示映像１」に変化する。また、同時に、３Ｄ映像表示装置１０からメガネ３０に同期信号が送信されるので、メガネ動作は、「通常動作モード」に変化する。
【００９１】
時刻ｔ３で、コンテンツ「３Ｄ表示映像１」の再生が終了すると、３Ｄ映像表示装置動作は、「３Ｄ表示」から「通常表示」に変化し、同時に映像表示は、「３Ｄ表示映像１」から「通常映像」に変化する。また、同時に、３Ｄ映像表示装置１０からメガネ３０に同期信号が送信されなくなるので、新たに、電池の残量を検査するために、メガネ動作は、「通常動作モード」から「状態送信」に変化する。時刻ｔ４では、時刻ｔ２と同様に変化する。
【００９２】
ケースＩＩでは、メガネ３０がメガネ３０の状態を表す情報を送信し終わった後、３Ｄ映像表示装置１０は、メガネ３０から受信したメガネ３０の状態を表す情報に含まれる動作可能時間と、次に再生するコンテンツの再生時間とを比較する。ケースＩＩでは、動作可能時間が再生時間よりも短いので、電池の交換等が必要であり、３Ｄ映像表示装置動作は、「通常表示」から「注意表示」に変化し、視聴者に電池の交換等を促すメッセージを表示画面１１４に表示する。
【００９３】
時刻ｔ２で電池の交換等が完了すると、電池の交換等が完了したことが、メガネ３０から３Ｄ映像表示装置１０に通知される。３Ｄ映像表示装置１０は、電池の交換等が完了したことが、メガネ３０から通知されると、コンテンツ「３Ｄ表示映像１」の再生を開始するので、３Ｄ映像表示装置動作は、「注意表示」から「３Ｄ表示」に変化し、同時に映像表示は、「通常映像」から「３Ｄ表示映像１」に変化する。また、同時に、３Ｄ映像表示装置１０からメガネ３０に同期信号が送信されるので、メガネ動作は、「通常動作モード」に変化する。時刻ｔ３，ｔ４での動作は、ケースＩの場合と同じであり、説明は省略する。
【００９４】
図９は、メガネ３０が実行する動作可能時間判定処理の処理手順を示すフローチャートである。視聴者が、電源スイッチ３１２を、電源を切断する状態から電源を投入する状態に切り換えると、ステップＡ１に移る。
【００９５】
ステップＡ１では、メガネ３０の電源がオン（以下「ＯＮ」という）となる。すなわち、電源部３１０が各回路、具体的には、メガネコントローラ３０１、対比テーブル３０２、装着センサ３０３、装着判別部３０４、メガネ送信部３０５、メガネ受信部３０６、液晶シャッタ駆動回路３０７、左目用液晶シャッタ３０８、右目用液晶シャッタ３０９および電圧監視部３１１などの各回路に電力を供給し始める。電圧検出工程であるステップＡ２では、電圧監視部３１１は、動作用電池３４１（以下「内蔵電池」ともいう）の電圧をＡ／Ｄコンバータ３５１で数値化、すなわちデジタル値の電圧値に変換する。ステップＡ３では、メガネコントローラ３０１は、対比テーブル３０２を参照する。ステップＡ４では、メガネコントローラ３０１は、対比テーブル３０２から、Ａ／Ｄコンバータ３５１で数値化された電圧値に関連付けられた動作可能時間を取得する。ステップＡ５では、メガネコントローラ３０１は、取得した動作可能時間を、メガネ送信部３０５によって、３Ｄ映像表示装置１０に送信して、動作可能時間判定処理を終了する。ステップＡ３，Ａ４は、算出工程である。
【００９６】
図１０は、３Ｄ映像表示装置１０が実行する第１の電池切れ報知処理の処理手順を示すフローチャートである。メガネ３０からメガネ３０の状態を表す情報を受信すると、ステップＢ１に移る。
【００９７】
ステップＢ１では、表示装置コントローラ１０１は、メガネ３０から、表示装置受信部１１７によって、動作可能時間を含むメガネ３０の状態を表す情報を受信する。ステップＢ２では、表示装置コントローラ１０１は、再生するコンテンツの映像が、放送であるか、ディスクであるかを調べる。
【００９８】
映像入力選択部１０７には、映像のソースを切り換えるための図示しない映像ソース切換スイッチが設けられている。映像ソース切換スイッチは、デジタル放送受信部１０５からの映像信号および映像入力端子１０２からの映像信号のうちどちらかの映像信号に切り換えるためのスイッチである。表示装置コントローラ１０１は、映像ソース切換スイッチがどちらに切り換えられているかを参照することができる。映像ソース切換スイッチがデジタル放送受信部１０５からの映像信号に切り換えられているとき、再生するコンテンツの映像は放送であり、映像ソース切換スイッチが映像入力端子１０２からの映像信号に切り換えられているとき、再生するコンテンツの映像はディスクである。
【００９９】
ステップＢ３では、表示装置コントローラ１０１は、放送番組であるか否かを判定する。表示装置コントローラ１０１は、映像ソース切換スイッチがデジタル放送受信部１０５からの映像信号に切り換えられているとき、放送番組、つまり放送であると判定し、ステップＢ１１に進む。表示装置コントローラ１０１は、映像ソース切換スイッチが映像入力端子１０２からの映像信号に切り換えられているとき、放送番組でない、つまりディスクであると判定し、ステップＢ４に進む。
【０１００】
ステップＢ４では、表示装置コントローラ１０１は、再生ディスク装置から映像の再生時間を取得する。再生ディスク装置は、たとえば３Ｄ映像ディスク再生装置２０である。表示装置コントローラ１０１は、３Ｄ映像ディスク再生装置２０から、次に再生するコンテンツとして選択されているコンテンツの再生時間を取得する。
【０１０１】
ステップＢ５では、表示装置コントローラ１０１は、３Ｄ表示モードであるか否かを判定する。次に再生するコンテンツが３次元映像のコンテンツであるとき、３Ｄ表示モードであると判定し、ステップＢ６に進む。次に再生するコンテンツが３次元映像のコンテンツでないとき、３Ｄ表示モードでないと判定し、ステップＢ１３に進む。
【０１０２】
ステップＢ６では、表示装置コントローラ１０１は、映像再生時間と動作可能時間とを比較する。ステップＢ７では、表示装置コントローラ１０１は、動作可能時間の方が長いか否かを判定する。再生時間よりも動作可能時間の方が長いとき、動作可能時間の方が長いと判定し、ステップＢ１５に進む。再生時間よりも動作可能時間の方が長くないとき、動作可能時間の方が長くないと判定し、ステップＢ８に進む。再生時間よりも動作可能時間の方が長い場合は、視聴中に電池が切れることはないが、再生時間よりも動作可能時間の方が長くない場合は、視聴中に電池が切れる可能性が高い。
【０１０３】
表示工程であるステップＢ８では、表示装置コントローラ１０１は、メガネ３０の動作可能時間を、メッセージデータ生成部１０９によってテキスト画像にして、表示画面１１４に表示する。映像が表示されているときは、その映像にテキスト画像を合成して、表示画面１１４に表示する。ステップＢ９では、表示装置コントローラ１０１は、「映像視聴を行う場合は、別のメガネへ交換するか、電池を充電すること」を促すメッセージを、動作可能時間とともに、表示画面１１４に表示する。ステップＢ８，Ｂ９の処理は、現在の電池の残量では、視聴中に電池が切れて、視聴を中断せざるを得ない状況になる可能性が高いので、視聴者に、電池が消耗していることを知らせ、電池の交換等を促すための処理である。
【０１０４】
ステップＢ１０では、表示装置コントローラ１０１は、準備されたメガネ３０から動作可能時間を取得して、ステップＢ６に戻る。メガネ３０が準備されるとは、視聴者が別のメガネ３０を装着したこと、または消耗した電池が交換され、もしくは消耗した電池が充電されて、視聴者がそのメガネ３０を装着したことである。メガネ３０が装着されたことによって、メガネ３０の状態を表す情報が３Ｄ映像表示装置１０に送信される。
【０１０５】
ステップＢ１１では、表示装置コントローラ１０１は、番組開始時刻あるいは現在の時刻と、番組終了時刻とを取得する。具体的には、表示装置コントローラ１０１は、番組情報取得部１０６で取得された番組情報、たとえば電子番組表から、現在選局されているチャンネルの番組の番組開始時刻および番組終了時刻を取得し、時間管理部１１８から現在の時刻を取得する。表示装置コントローラ１０１は、番組が既に始まっている場合は、現在の時刻を取得し、番組が既に始まっていない場合は、番組開始時刻を取得する。番組が既に始まっている場合は、現在の時刻を用いた方が、動作可能時間内に、再生が完了するか否かを正確に判定することができる。ステップＢ１２では、表示装置コントローラ１０１は、取得した番組開始時刻あるいは現在の時刻と番組終了時刻との差から再生時間を算出して、ステップＢ５に進む。番組終了時刻から番組開始時刻を減算した時間が再生時間であり、番組終了時刻から現在の時刻を減算した時間が残再生時間である。残再生時間は、残表示時間である。
【０１０６】
ステップＢ１３では、表示装置コントローラ１０１は、メガネ３０の動作可能時間を、ステップＢ８と同様に表示する。ステップＢ１４では、表示装置コントローラ１０１は、「３Ｄ表示モードで、メガネの動作可能時間以上の映像視聴を行う場合は 別のメガネへ交換するか、電池充電する」ことを促すメッセージを、ステップＢ９と同様に表示する。ステップＢ１３，Ｂ１４の処理は、３Ｄ表示モードではないときは、メガネ３０を用いる必要がないので、視聴者に、電池の消耗具合を知らせ、電池が消耗している場合は、通常表示モードの間に、メガネ３０の電池の交換等を促すための処理である。
【０１０７】
ステップＢ１５では、表示装置コントローラ１０１は、再生を開始した時刻である再生開始時刻を、表示装置コントローラ１０１の記憶装置に記憶する。これは、図１１に示す第２の電池切れ報知処理で、視聴開始からの時間を調べるためである。ステップＢ１６では、表示装置コントローラ１０１は、コンテンツの映像を表示画面１１４に表示し、視聴者による映像視聴を可能として、第１の電池切れ報知処理を終了する。
【０１０８】
図１１は、３Ｄ映像表示装置１０が実行する第２の電池切れ報知処理の処理手順を示すフローチャートである。第２の電池切れ報知処理は、複数の３次元映像のコンテンツを連続して再生する場合、再生中のコンテンツが終了時刻に近づいたとき、次のコンテンツを再生するために必要な電池が残っているか否かを判定し、電池が十分残っていない場合は、次のコンテンツを再生する前に、電池の交換等を促すための処理である。３次元映像のコンテンツの再生を開始すると、ステップＣ１に移る。
【０１０９】
ステップＣ１では、表示装置コントローラ１０１は、視聴開始からの時間を調べる。具体的には、表示装置コントローラ１０１の記憶装置に記憶される再生開始時刻、図１０に示したステップＢ１５で表示装置コントローラ１０１の記憶装置に記憶した再生開始時刻を読み出す。ステップＣ２では、表示装置コントローラ１０１は、３次元映像のコンテンツの再生を継続し、視聴者による３次元映像の視聴を可能とする。
【０１１０】
ステップＣ３では、表示装置コントローラ１０１は、視聴終了までの時間を計算する。具体的には、表示装置コントローラ１０１は、ステップＣ１で取得した再生開始時刻に、コンテンツの再生時間を加算して、コンテンツの終了時刻を推定する。そして、推定した終了時刻から、時間管理部１１８が計時する時刻を減算することによって、視聴終了までの時間を計算する。
【０１１１】
ステップＣ４では、表示装置コントローラ１０１は、視聴終了の予め定める時間、たとえばＭ分前であるか否かを判定する。Ｍは、自然数であり、たとえば「２」である。ステップＣ３で計算した視聴終了までの時間がＭ分に一致したとき、視聴終了のＭ分前であると判定し、ステップＣ５に進む。ステップＣ３で計算した視聴終了までの時間がＭ分に一致しなかったとき、視聴終了のＭ分前でないと判定し、ステップＣ１に戻る。
【０１１２】
ステップＣ５では、表示装置コントローラ１０１は、メガネ３０の動作可能時間を取得し、動作可能時間を表示する。３Ｄ映像表示装置１０は、たとえば、状態送信要求をメガネ３０に送信することによって、メガネ３０に最新のメガネ３０の状態を表す情報を送信させることができる。表示装置コントローラ１０１は、メガネ３０に状態送信要求を送信し、メガネ３０から送信される最新のメガネ３０の状態を表す情報を受信する。メガネ３０の状態を表す情報には、動作可能時間が含まれているので、その動作可能時間を、図１０のステップＢ８と同様に表示する。
【０１１３】
ステップＣ６では、表示装置コントローラ１０１は、次に再生する映像が、放送番組であるか、ディスクであるかを調べる。ステップＣ７では、表示装置コントローラ１０１は、放送番組であるか否かを判定する。表示装置コントローラ１０１は、映像ソース切換スイッチがデジタル放送受信部１０５からの映像信号に切り換えられているとき、放送番組であると判定し、ステップＣ１６に進む。表示装置コントローラ１０１は、映像ソース切換スイッチが映像入力端子１０２からの映像信号に切り換えられているとき、放送番組でない、つまりディスクであると判定し、ステップＣ８に進む。
【０１１４】
ステップＣ８では、表示装置コントローラ１０１は、再生ディスク装置から、続いて再生予定の映像の再生時間を取得する。具体的には、表示装置コントローラ１０１は、３Ｄ映像ディスク再生装置２０から、続いて再生するコンテンツとして予定されているコンテンツの再生時間を取得する。
【０１１５】
ステップＣ９では、表示装置コントローラ１０１は、３Ｄ表示モードであるか否かを判定する。次に再生するコンテンツが３次元映像のコンテンツであるとき、３Ｄ表示モードであると判定し、ステップＣ１０に進む。続いて再生するコンテンツが３次元映像のコンテンツでないとき、３Ｄ表示モードでないと判定し、ステップＣ１８に進む。
【０１１６】
ステップＣ１０では、表示装置コントローラ１０１は、次映像の再生時間と動作可能時間からＭ分を減算した時間とを比較する。次映像の再生時間は、ステップＣ８で取得した再生時間またはステップＣ１７で求めた再生時間である。動作可能時間は、ステップＣ５で受信した動作可能時間またはステップＣ１５で受信した動作可能時間である。
【０１１７】
ステップＣ１１では、表示装置コントローラ１０１は、動作可能時間の方が長いか否かを判定する。再生時間よりも動作可能時間からＭ分を減算した時間の方が長いとき、動作可能時間の方が長いと判定し、ステップＣ２０に進む。再生時間よりも動作可能時間からＭ分を減算した時間の方が長くないとき、動作可能時間の方が長くないと判定し、ステップＣ１２に進む。再生時間よりも動作可能時間からＭ分を減算した時間の方が長い場合は、視聴中に電池が切れることはないが、再生時間よりも動作可能時間からＭ分を減算した時間の方が長くない場合は、視聴中に電池が切れる可能性が高い。
【０１１８】
ステップＣ１２，Ｃ１４は、図１０に示したステップＢ８，Ｂ１０と同じ処理であり、説明を省略する。ステップＣ１３では、表示装置コントローラ１０１は、「別のメガネへ交換するか、電池を充電すること」を促すメッセージを、動作可能時間とともに、表示画面１１４に表示する。
【０１１９】
ステップＣ１６では、表示装置コントローラ１０１は、番組開始時刻と番組終了時刻とを取得する。具体的には、表示装置コントローラ１０１は、番組情報取得部１０６で取得された番組情報、たとえば電子番組表から、現在選局されているチャンネルの番組の次の番組の番組開始時刻および番組終了時刻を取得する。ステップＣ１７では、表示装置コントローラ１０１は、取得した番組開始時刻と番組終了時刻との差から再生時間を算出して、ステップＣ９に進む。ステップＣ１８〜Ｃ２０は、図１０に示したステップＢ１３，Ｂ１４，Ｂ１６と同じ処理であり、説明を省略する。
【０１２０】
図１１に示した第２の電池切れ報知処理では、連続して再生するコンテンツごとに、現在の電池の残量で、次のコンテンツの再生が可能か否かを判定しているが、連続して再生する複数のコンテンツの再生順序が、事前に、たとえばプログラムなどで決められている場合は、連続して再生する再生順序が決められている各コンテンツの再生時間の合計時間を再生時間として、動作可能時間と比較するようにしてもよい。連続して再生する複数のコンテンツを一括して扱えるので、動作可能時間の取得および動作可能時間の表示が１回のみとなり、動作可能時間の取得および動作可能時間の表示を繰り返し行う必要がなくなり、視聴者の利便性を向上することができる。
【０１２１】
上述した実施形態では、対比テーブル３０２をメガネ３０に記憶したが、３Ｄ映像表示装置１０に記憶してもよい。この場合、メガネ３０は、メガネ３０の状態を表す情報を３Ｄ映像表示装置１０に送信するとき、動作可能時間に代えて、Ａ／Ｄコンバータ３５１で変換された電圧値を送信する。３Ｄ映像表示装置１０は、メガネ３０から、メガネ３０の状態を表す情報を受信したとき、メガネ３０の状態を表す情報に含まれる電圧値に関連付けられている動作可能時間を、３Ｄ映像表示装置１０に記憶されている対比テーブル３０２から読み出す。３Ｄ映像表示装置１０は、３Ｄ映像表示装置１０に記憶している対比テーブル３０２から読み出した動作可能時間と、再生時間とを比較する。メガネ３０で、対比テーブル３０２を記憶する必要がなく、かつ電圧値を動作可能時間に変換する必要がないので、メガネ３０に搭載する電子回路を簡単化することができ、メガネ３０が大型化することを回避することができる。
【０１２２】
また、上述した実施形態では、３Ｄ表示モードと通常表示モードとの切り換えは、次に再生するコンテンツが３次元映像のコンテンツのときに、３Ｄ表示モードに切り換えることとしているが、３Ｄ表示モードと通常表示モードとを切り換えるモード切換スイッチを設けて、モード切換スイッチによって切り換えるようにしてもよい。あるいは、第１の３Ｄ・通常映像選択部１１０が、モードの切り換えメニューを表示画面１１４に表示して、表示画面１１４で切り換えるようにしてもよい。
【０１２３】
また、上述した実施形態では、視聴者がメガネ３０を装着したとき、および次のコンテンツを再生するときに、電池の残量、つまり動作可能時間と再生時間とを比較して、コンテンツ再生中に電池が切れるか否かを判定しているが、さらに、３Ｄ映像表示装置１０は、視聴する放送番組のチャンネルが変更されたとき、あるいは、ディスク装置２０１で再生しているコンテンツを別のコンテンツに変更したときにも、メガネ３０に状態送信要求を送信して、図１０に示した第１の電池切れ報知処理を実行する。
【０１２４】
このように、表示画面１１４は、３次元映像のコンテンツを含む情報を表示する。電圧監視部３１１は、表示画面１１４に表示されるコンテンツの３次元映像を視聴するためのメガネ３０を駆動する動作用電池３４１の電圧値を検出する。メガネコントローラ３０１は、電圧監視部３１１によって検出される電圧値の電圧によってメガネ３０を駆動することができる動作可能時間を算出する。そして、表示装置コントローラ１０１は、メガネコントローラ３０１によって算出された動作可能時間を表示画面１１４に表示させる。
【０１２５】
したがって、視聴者は、動作用電池３４１の動作可能時間と、視聴するコンテンツの再生時間とを比較することができ、再生時間が動作可能時間よりも長くないとき、コンテンツを視聴する前に動作用電池３４１を交換等することができる。すなわち、３次元映像の放送番組や録画番組などのコンテンツを視聴する前に、途中で動作用電池３４１が切れる恐れがあるか否かを判断することができ、途中で動作用電池３４１が切れる恐れがある場合には、最後まで中断なく視聴可能であるメガネ３０を用意するというような対応、具体的には、予備の動作用電池３４１と交換する、動作用電池３４１を充電する、あるいは別のメガネ３０を探すなどの対応を可能とすることができるので、視聴の中断を回避することができ、視聴者は、３次元映像の視聴を集中して楽しむことができるようになる。
【０１２６】
さらに、表示装置コントローラ１０１は、表示画面１１４に表示されるコンテンツの表示開始から表示終了までに要する再生時間とメガネコントローラ３０１によって算出された動作可能時間とを比較し、再生時間よりも動作可能時間が長くないとき、動作用電池３４１の交換または充電を促すメッセージを表示画面１１４に表示させる。したがって、視聴者は、表示時間と動作可能時間とを比較する必要がない。
【０１２７】
さらに、表示装置コントローラ１０１は、表示画面１１４にコンテンツが表示されているとき、現在の時刻から該コンテンツの表示終了までに要する残再生時間とメガネコントローラ３０１によって算出された動作可能時間とを比較し、残再生時間よりも動作可能時間が長くないとき、動作用電池３４１の交換または充電を促すメッセージを表示画面１１４に表示させる。したがって、視聴者は、コンテンツの途中から視聴するときも、そのコンテンツの視聴の中断を回避することができる。
【０１２８】
さらに、表示装置コントローラ１０１は、現在の時刻からコンテンツの表示終了までに要する時間が予め定める時間に一致したとき、次のコンテンツの再生時間と、メガネコントローラ３０１によって算出された動作可能時間から前記予め定める時間を減算した時間とを比較し、再生時間よりも前記減算した時間が長くないとき、動作用電池３４１の交換または充電を促すメッセージを表示画面１１４に表示させる。したがって、視聴者は、現在視聴中の次のコンテンツを視聴する前に動作用電池３４１を交換等する必要があるか否かを判断することができるので、次のコンテンツの視聴中に視聴を中断することがなくなる。
【０１２９】
さらに、番組情報取得部１０６は、配信元から配信されるコンテンツの開始時刻および終了時刻を含む番組情報を取得する。そして、表示画面１１４に表示されるコンテンツの表示開始から表示終了までに要する再生時間は、番組情報取得部１０６によって取得された番組情報に含まれる番組終了時刻から番組開始時刻を減算した時間である。したがって、表示装置１では、番組情報とともに配信されるコンテンツであれば、番組情報から表示時間を算出することができる。
【０１３０】
さらに、対比テーブル３０２を記憶する記憶装置は、動作用電池３４１の電圧値とその電圧値の電圧での動作可能時間とを関連付けて記憶する。そして、メガネコントローラ３０１は、対比テーブル３０２を記憶する記憶装置に記憶される動作可能時間のうち、電圧監視部３１１によって検出された電圧値に関連付けられた動作可能時間を、前記算出した動作可能時間とする。したがって、表示装置１では、動作用電池３４１の電圧値から動作可能時間に変換する計算を行う必要がなく、処理時間を短縮することができる。
【０１３１】
さらに、図９に示したステップＡ２では、３次元映像のコンテンツを含む情報を表示するための表示画面１１４に表示されるコンテンツの３次元映像を視聴するためのメガネ３０を駆動する動作用電池３４１の電圧値を検出する。図９に示したステップＡ３，Ａ４では、図９に示したステップＡ２で検出された電圧値の電圧によってメガネ３０を駆動することができる動作可能時間を算出する。そして、図１０に示したステップＢ８では、図９に示したステップＡ３，Ａ４で算出された動作可能時間を表示画面１１４に表示させる。
【０１３２】
したがって、視聴者は、動作用電池３４１の動作可能時間と、視聴するコンテンツの再生時間とを比較することができ、再生時間が動作可能時間よりも長くないとき、コンテンツを視聴する前に動作用電池３４１を交換等することができる。すなわち、３次元映像の放送番組や録画番組などのコンテンツを視聴する前に、途中で動作用電池３４１が切れる恐れがあるか否かを判断することができ、途中で動作用電池３４１が切れる恐れがある場合には、最後まで中断なく視聴可能であるメガネ３０を用意するというような対応、具体的には、予備の動作用電池３４１と交換する、動作用電池３４１を充電する、あるいは別のメガネ３０を探すなどの対応を可能とすることができるので、視聴の中断を回避することができ、視聴者は、３次元映像の視聴を集中して楽しむことができるようになる。
【符号の説明】
【０１３３】
１  表示装置
２  放送局
３  ネットワーク
１０  ３Ｄ映像表示装置
２０  ３Ｄ映像ディスク再生装置
３０  メガネ
４０  動作可能時間参照テーブル
５０  メガネのフレーム枠
５１  展開センサ
５２  近接センサ
５３  対物センサ
５４  対物センサの発信素子
５５  対物センサの受信素子
５９  光
１０１  表示装置コントローラ
１０２  映像入力端子
１０３  アンテナ
１０４  ＬＡＮ端子
１０５  デジタル放送受信部
１０６  番組情報取得部
１０７  映像入力選択部
１０８  ３Ｄ映像判別部
１０９  メッセージデータ生成部
１１０  第１の３Ｄ・通常映像選択部
１１１  通常表示信号生成部
１１２  左目・右目表示信号生成部
１１３  第２の３Ｄ・通常映像選択部
１１４  表示画面
１１５  同期信号生成部
１１６  表示装置送信部
１１７  表示装置受信部
１１８  時間管理部
２０１  ディスク装置
２０２  ディスク制御デコード部
２０３  映像出力端子
３０１  メガネコントローラ
３０２  対比テーブル
３０３  装着センサ
３０４  装着判別部
３０５  メガネ送信部
３０６  メガネ受信部
３０７  液晶シャッタ駆動回路
３０８  左目用液晶シャッタ
３０９  右目用液晶シャッタ
３１０  電源部
３１１  電圧監視部
３１２  電源スイッチ
３２１  デコーダ部
３２２  タイミング信号生成部
３３１  スイッチ
３３２  第１シャッタ駆動回路
３３３  第２シャッタ駆動回路
３４１  動作用電池
３４２  電源安定回路
３５１  Ａ／Ｄコンバータ
【図１】
2012186651.tif 000003
【図２】
2012186651.tif 000004
【図３】
2012186651.tif 000005
【図４】
2012186651.tif 000006
【図５】
2012186651.tif 000007
【図６】
2012186651.tif 000008
【図７】
2012186651.tif 000009
【図８】
2012186651.tif 000010
【図９】
2012186651.tif 000011
【図１０】
2012186651.tif 000012
【図１１】
2012186651.tif 000013